(57)【要約】【課題】「４-ＷＡＹ ＳＴＯＰ」の交通ルールが指定された交差点における自車両の発進可否を判定する交差点発進判定装置の提供。【解決手段】交差点発進判定装置１は、全方向が一時停止する交差点における自車両Ｍの発進可否を判定し、自車両Ｍに配置されて自車両Ｍの前方の走行環境を検出する自律センサ２２ａ〜２２ｄと、自律センサを用いて自車両Ｍの走行環境を認識する走行環境認識手段２０と、地図情報と全球測位衛星システムから自車両Ｍの位置を演算するロケータユニット１１と、交差点で自車両Ｍが一時停止したとき、走行環境認識手段によりカウントされた交差点で既に一時停止している他車両の数０を減算して０（ゼロ）となったときに自車両Ｍを発進許可する制御手段２５と、を有する。【選択図】図４
2020166539.tif 000002
【特許請求の範囲】
【請求項１】
全方向が一時停止する交差点における自車両の発進可否を判定する交差点発進判定装置であって、
前記自車両に配置されて前記自車両の前方の走行環境を検出する自律センサと、
前記自律センサを用いて前記自車両の前記走行環境を認識する走行環境認識手段と、
地図情報と全球測位衛星システムから前記自車両の位置を演算するロケータユニットと、
前記交差点で前記自車両が一時停止したとき、前記走行環境認識手段によりカウントされた前記交差点で既に一時停止している他車両の数を減算して０（ゼロ）となったときに前記自車両を発進許可する制御手段と、
を有することを特徴とする交差点発進判定装置。
【請求項２】
前記自律センサは、前記走行環境を撮像する撮像手段であることを特徴とする請求項１に記載の交差点発進判定装置。
【請求項３】
前記自律センサは、前記走行環境を検出するレーダーセンサであることを特徴とする請求項１に記載の交差点発進判定装置。
【請求項４】
前記走行環境認識手段は、前記自律センサの検出結果に基づき、前記交差点を複数の領域に分割し、分割された前記複数の領域における前記他車両の状態を検出することを特徴とする請求項１から請求項３のいずれか１項に記載の交差点発進判定装置。
【請求項５】
前記制御手段は、前記複数の領域のうちの交差点領域内を前記他車両が退出した後、前記発進許可することを特徴とする請求項４に記載の交差点発進判定装置。
【請求項６】
前記発進許可は、前記制御手段により自動運転支援のブレーキ制御部および加減速制御部が制御されることを特徴とする請求項１から請求項５のいずれか１項に記載の交差点発進判定装置。
【請求項７】
前記発進許可は、前記制御手段により告知手段が駆動され運転者へ認識させることを特徴とする請求項１から請求項６のいずれか１項に記載の交差点発進判定装置。
【発明の詳細な説明】
【技術分野】
【０００１】
本発明は、交差点、特に「４−Ｗａｙ ＳＴＯＰ」交差点における車両の発進優先度を判定する交差点発進判定装置に関するものである。
【背景技術】
【０００２】
車両に左右一対のステレオカメラを搭載し、このステレオカメラにより自車両前方の走行環境を撮像することで、先行車や各種障害物を認識すると共に、自車両と対象物との距離を計測する車両用ステレオカメラ装置が知られている。
【０００３】
このような車両用ステレオカメラ装置では、認識した画像により運転者アシスト、自動運転などの車両制御を行う種々の提案がされている。例えば、特許文献１には、車両などの移動体の移動状態に基づいて移動体の進路を予測する進路予測装置が開示されている。
【先行技術文献】
【特許文献】
【０００４】
【特許文献１】特開２０１０−９５０７８号公報
【発明の概要】
【発明が解決しようとする課題】
【０００５】
ところで、アメリカ合衆国などの国では、「４-ＷＡＹ ＳＴＯＰ」という交通ルールが指定された信号機のない交差点がある。この「４-ＷＡＹ ＳＴＯＰ」交差点の交通ルールは、全方向が一時停止し、交差点に先に着いた車両に動く権利が与えられる。そして、優先権のある車両が動き終わるまで、他の車両は止まって待っていなければない。
【０００６】
このように特別な交通ルールに基づいた車両制御は、特許文献１に開示されるような従来の進路予測装置では行えない。
【０００７】
そこで、本発明は、上記事情に鑑み、「４-ＷＡＹ ＳＴＯＰ」の交通ルールが指定された交差点における自車両の発進可否を判定する交差点発進判定装置を提供することを目的とする。
【課題を解決するための手段】
【０００８】
本発明の一態様の交差点発進判定装置は、全方向が一時停止する交差点における自車両の発進可否を判定する交差点発進判定装置であって、前記自車両に配置されて前記自車両の前方の走行環境を検出する自律センサと、前記自律センサを用いて前記自車両の前記走行環境を認識する走行環境認識手段と、地図情報と全球測位衛星システムから前記自車両の位置を演算するロケータユニットと、前記交差点で前記自車両が一時停止したとき、前記走行環境認識手段によりカウントされた前記交差点で既に一時停止している他車両の数を減算して０（ゼロ）となったときに前記自車両を発進許可する制御手段と、を有する。
【発明の効果】
【０００９】
本発明によれば、「４-ＷＡＹ ＳＴＯＰ」の交通ルールが指定された交差点における自車両の発進可否を判定する交差点発進判定装置を提供することができる。
【図面の簡単な説明】
【００１０】
【図１】車両用ステレオカメラ装置を備える自動運転支援システムの構成を示す機能ブロック図
【図２】ステレオカメラ装置を搭載する車両の正面図
【図３】「４−Ｗａｙ ＳＴＯＰ」交差点を示す模式図
【図４】交差点発進判定装置の制御フロー
【発明を実施するための形態】
【００１１】
以下、図面に基づいて本発明の一実施形態を説明する。ここでは交差点発進判定装置を含む自動運転支援システムは、図１に示す自車両Ｍ（図２参照）に搭載されている。この自動運転支援システム１は、自車位置を検出するロケータユニット１１、自車両Ｍ前方の走行環境を認識するステレオカメラ装置２１とレーダー装置２７から構成された自律検出手段である自律センサユニット２２を有している。
【００１２】
このロケータユニット１１および自律センサユニット２２は、一方が不調を来した場合には、他方のユニットで自動運転支援を一時的に継続させる冗長系が構築されている。また、自動運転支援システム１は、ロケータユニット１１と自律センサユニット２２とで現在走行中の道路形状が同一か否かを常時監視し、同一の場合に自動運転支援を継続させる。
【００１３】
ロケータユニット１１は、道路地図上の自車両Ｍの位置（自車位置）を推定すると共に、この自車位置の前方の道路地図データを取得する。一方、自律センサユニット２２のステレオカメラ装置２１は、自車両Ｍの走行車線の左右を区画する区画線の中央の道路曲率を求めると共に、この左右区画線の中央を基準とする自車両Ｍの車幅方向の横位置偏差を検出する。
【００１４】
更に、このステレオカメラ装置２１は、自車両Ｍの前方の先行車、直前を横切ろうとする歩行者や二輪車（自転車、自動二輪車）などの移動体を含む立体物、信号現示（点灯色）、道路標識などを認識する。
【００１５】
ロケータユニット１１は、地図ロケータ演算部１２と記憶手段としての高精度道路地図データベース１６とを有している。この地図ロケータ演算部１２、後述する前方走行環境認識部２４および自動運転制御ユニット２５は、ＣＰＵ，ＲＡＭ，ＲＯＭ、不揮発性記憶部などを備える周知のマイクロコンピュータおよび、その周辺機器で構成されており、ＲＯＭにはＣＰＵで実行するプログラムやデータテーブルなどの固定データなどが予め記憶されている。
【００１６】
この地図ロケータ演算部１２の入力側に、ＧＮＳＳ(Global Navigation Satellite System / 全球測位衛星システム)受信機１３、及び自律走行センサ１４が接続されている。
【００１７】
ＧＮＳＳ受信機１３は、複数の測位衛星から発信される測位信号を受信する。また、自律走行センサ１４は、トンネル内走行などＧＮＳＳ衛生からの受信感度が低く測位信号を有効に受信することのできない環境において、自律走行を可能にするもので、車速センサ、ヨーレートセンサ、及び前後加速度センサなどで構成されている。
【００１８】
すなわち、地図ロケータ演算部１２は、車速センサで検出した車速、ヨーレートセンサで検出したヨーレート（ヨー角速度）、及び前後加速度センサで検出した前後加速度などに基づき移動距離と方位からローカライゼーションを行う。
【００１９】
この地図ロケータ演算部１２は、自車位置を推定する機能として自車位置推定演算部１２ａ、推定した自車位置を道路地図上にマップマッチングして自車両Ｍの現在地を特定し、その周辺の環境情報を含む道路地図情報を取得する地図情報取得部１２ｂ、自車両Ｍの目標とする進行路（目標進行路）を設定する目標進行路設定演算部１２ｃを備えている。
【００２０】
また、高精度道路地図データベース１６はＨＤＤなどの大容量記憶媒体であり、高精度な周知の道路地図情報（ローカルダイナミックマップ）が記憶されている。この高精度道路地図情報は、基板とする最下層の静的情報階層上に、自動走行をサポートするために必要な付加的地図情報が重畳された階層構造をなしている。
【００２１】
上述した地図情報取得部１２ｂは、この高精度道路地図データベース１６に格納されている道路地図情報から現在地及び前方の道路地図情報を取得する。この道路地図情報には周辺環境情報が含まれている。この周辺環境情報としては、道路の種別（一般道路、高速道路など）、道路形状、左右区画線、道路標識、停止線、交差点、信号機などの静的な位置情報のみならず、渋滞情報や事故或いは工事による通行規制などの動的な位置情報も含まれている。
【００２２】
そして、例えば運転者が自動運転に際してセットした目的地に基づき、上述した自車位置推定演算部１２ａで推定した自車位置（現在地）から目的地までのルート地図情報を、この道路地図情報から取得し、取得したルート地図情報（ルート地図上の車線データ及びその周辺情報）を自車位置推定演算部１２ａへ送信する。
【００２３】
自車位置推定演算部１２ａは、ＧＮＳＳ受信機１３で受信した測位信号に基づき自車両Ｍの位置座標を取得し、この位置座標をルート地図情報上にマップマッチングして、道路地図上の自車位置（現在地）を推定すると共に走行車線を特定し、ルート地図情報に記憶されている走行車線の道路形状を取得し、逐次記憶させる。
【００２４】
更に、自車位置推定演算部１２ａは、トンネル内走行などのようにＧＮＳＳ受信機１３の感度低下により測位衛星からの有効な測位信号を受信することができない環境では、自律航法に切換え、自律走行センサ１４によりローカライゼーションを行う。
【００２５】
目標進行路設定演算部１２ｃは、先ず、地図情報取得部１２ｂでマップマッチングした現在位置を基準に自車両Ｍを区画線に沿って自動走行させるための目標進行路を設定する。また、運転者が目的地を入力している場合は、現在地と目的地とを結ぶ走行ルートに沿って目標進行路が設定される。
【００２６】
この目標進行路は、自車両Ｍの前方、数百メートル〜数キロ先まで設定され、走行時において逐次更新される。この目標進行路設定演算部１２ｃで設定した目標進行路は自動運転制御ユニット２５で読込まれる。
【００２７】
一方、ステレオカメラ装置２１は、自立センサであって自車両Ｍの前方を撮像する撮像手段である第１〜第２カメラ２２ａ，２２ｂ、画像処理ユニット（ＩＰＵ）２３および走行環境認識手段としての前方走行環境認識部２４を備えている。
【００２８】
第１〜第２カメラ２２ａ，２２ｂは、図２に示すように、自車両Ｍの車室内前部のフロントガラスに近接する上部であって横方向同列の位置に第１〜第２カメラ２２ａ，２２ｂが固定されている。
【００２９】
これら第１〜第２カメラ２２ａ，２２ｂで撮像した複数の画像がＩＰＵ２３で所定に画像処理されて、前方走行環境認識部２４へ出力される。
【００３０】
前方走行環境認識部２４は、ステレオ画像に基づき、自車両Ｍが走行する進行路（自車進行路）の道路形状、自車両Ｍの前方を走行する先行車の有無、自車両Ｍの直前を横切ろうとする歩行者や二輪車（自転車、自動二輪車）などの移動体を含む立体物、信号現示（点灯色）、道路標識などを認識する。
【００３１】
そして、カメラの焦点距離、カメラ間の基線長、同一対象物の視差から、三角測量の原理を用いて当該対象物までの距離を算出する。なお、ステレオ画像に基づく対象物の認識、及び当該対象物までの距離の求め方は既に知られている技術であるため、ここでの詳細な説明は省略する。
【００３２】
また、レーダー装置２７は、ミリ波レーダー、レーザーレーダー、ライダー（LIDER：Light Detection and Ranging）などのセンシングデバイスの種々のレーダーによる検出手段としての自律センサとなる第１〜第２センサ２２ｃ，２２ｄおよび、これら第１〜第２センサ２２ｃ，２２ｄからの信号に基いて自車両Ｍ周辺の移動体などの周辺環境情報を認識する周辺走行環境認識部２６を備えている。
【００３３】
なお、第１〜第２センサ２２ｃ，２２ｄは、バンパーの正面側の両サイドに配設され、自車両Ｍの前方および所定の角度範囲の左右方向の周辺環境情報を検出するように配設されている。
【００３４】
本実施の形態では、第１〜第２カメラ２２ａ，２２ｂおよび第１〜第２センサ２２ｃ，２２ｄによって、検出手段としての自律センサ部１０が構成され、前方走行環境認識部２４および周辺走行環境認識部２６によって走行環境認識手段としての走行環境認識部２０が構成されている。
【００３５】
自動運転制御ユニット２５は、入力側に地図ロケータ演算部１２の目標進行路設定演算部１２ｃ、ステレオカメラ装置２１の前方走行環境認識部２４およびレーダー装置２７の周辺走行環境認識部２６が接続されている。
【００３６】
また、この自動運転制御ユニット２５の出力側に、自車両Ｍを目標進行路に沿って走行させる操舵制御部３１、強制ブレーキにより自車両Ｍを減速させるブレーキ制御部３２、自車両Ｍの車速を制御する加減速制御部３３、及び警報装置３４が接続されている。
【００３７】
自動運転制御ユニット２５は、操舵制御部３１、ブレーキ制御部３２、加減速制御部３３を所定に制御して、ＧＮＳＳ受信機１３で受信した自車位置を示す測位信号に基づき、自車両Ｍを目標進行路設定演算部１２ｃで設定した道路地図上の目標進行路に沿って自動走行させる。その際、前方走行環境認識部２４で認識した前方走行環境に基づき、周知の追従車間距離制御（ＡＣＣ：Adaptive Cruise Control）、及び車線維持制御（ＡＬＫ：Active Lane Keep）を行い、先行車が検出された場合は先行車に追従し、先行車が検出されない場合は制限速度内で走行させる。更に、自車両Ｍの直前を横切ろうとする移動体を検出した場合は、ブレーキ制御部３２を作動させて自車両Ｍを停車させる。
【００３８】
ところで、高精度道路地図データベース１６には、図３に示すような、地図上における全ての「４-ＷＡＹ ＳＴＯＰ」交差点の位置情報が記憶されている。
【００３９】
自車両Ｍが「４-ＷＡＹ ＳＴＯＰ」交差点に到着し、一時停止した際、高精度道路地図データベース１６とＩＰＵ２３から送信された画像に基づき、自車両Ｍの進行方向に対する「４-ＷＡＹ ＳＴＯＰ」交差点領域を分割した各種領域が自動運転制御ユニット２５に設定される。
【００４０】
設定された各種領域は、先ず、「４-ＷＡＹ ＳＴＯＰ」交差点内の交差点領域Ｃ、この交差点領域Ｃ内の自車両Ｍの進行方向に対する車両通行領域である自車両進行領域Ｍａおよび交差点領域Ｃ内の対向車の進行方向に対する車両通行領域であって、自車両Ｍ側、つまり対向車の進行方向側の約半分の領域の対向車両進行領域Ｏがある。
【００４１】
また、「４-ＷＡＹ ＳＴＯＰ」交差点に交差する道路において、交差点内に進入する車両が一時停止する第１〜第４停止領域Ｓａ，Ｓｂ，Ｓｃ，Ｓｄおよび第１〜第４停止領域Ｓａ，Ｓｂ，Ｓｃ，Ｓｄよりも後退側の第１〜第４走行領域Ｔａ，Ｔｂ，Ｔｃ，Ｔｄが設定される。
【００４２】
ここで、「４-ＷＡＹ ＳＴＯＰ」という交通ルールが指定された交差点に自車両Ｍが侵入したときの自動運転制御ユニット２５による制御一例について、図３および図４のフローチャートに基づいて説明する。
【００４３】
先ず、道路地図情報に基づきＧＮＳＳ受信機１３で受信した自車位置から自車両Ｍが「４-ＷＡＹ ＳＴＯＰ」交差点に進入したか否かを判定する（ステップＳ１）。なお、自車両Ｍが「４-ＷＡＹ ＳＴＯＰ」交差点に進入していない場合には、ステップＳ１の処理を繰り返す。
【００４４】
次に、自車両Ｍが「４-ＷＡＹ ＳＴＯＰ」交差点に進入した場合、ここでは図３に示す、第１停止領域Ｓａでの自車両Ｍの車速が０(ゼロ)であるか否かを判定する（ステップＳ２）。即ち、自車両Ｍが第１停止領域Ｓａ内で一時停止しているかを判断する。
【００４５】
なお、第１停止領域Ｓａでの自車両Ｍの車速が０(ゼロ)となるまで、ステップＳ２の処理を繰り返す。即ち、自車両Ｍが第１停止領域Ｓａにおいて一時停止状態となるまで、ステップＳ２の処理を繰り返す。
【００４６】
第１停止領域Ｓａでの自車両Ｍの車速が０(ゼロ)となった場合、「４-ＷＡＹ ＳＴＯＰ」交差点に進入する他車両の認識を行う（ステップＳ３）。ここでは、前方走行環境認識部２４にＩＰＵ２３から送信された画像情報および周辺走行環境認識部２６に第１〜第２センサ２２ｃ，２２ｄから送信された周辺環境情報に基づき他車両を認識する。このとき、交差点内に進入する他車両が第２〜第４停止領域Ｓｂ，Ｓｃ，Ｓｄにおける車速０(ゼロ)で停止している他車両の数０〜３が特定される。
【００４７】
即ち、自車両Ｍが一時停止している第１停止領域Ｓａ以外の第２〜第４停止領域Ｓｂ，Ｓｃ，Ｓｄに一時停止している他車両の数をカウントして、自車両Ｍの発進優先順位が何番目なのかを特定する。なお、第１〜第４走行領域Ｔａ，Ｔｂ，Ｔｃ，Ｔｄに進入している他車両は、交差点に接近して速度０（ゼロ）よりも大きい速度で自走している、または第２〜第４停止領域Ｓｂ，Ｓｃ，Ｓｄに車両が停止しており順番待ちして停止しているもので自車両Ｍよりも発進優先順位が低いものと判断する。
【００４８】
次に、特定された他車両の数が０（ゼロ）となるまで減算カウントを開始し（ステップＳ４）、自車両Ｍの発進順序を判定する（ステップＳ５）。このステップＳ４〜Ｓ５は、特定された数が０（ゼロ）となるまで繰り返される。
【００４９】
ステップＳ４では、一時停止していた他車両の車速が０より大きく発進した数を減算カウントする。なお、他車両の数０（ゼロ）は、他車両が第２〜第４停止領域Ｓｂ，Ｓｃ，Ｓｄで１台も停止していない状態である。
【００５０】
他車両が数０（ゼロ）となると、交差点領域Ｃ内に他車両が存在しないか判定する（ステップＳ６）。このとき、前方走行環境認識部２４にＩＰＵ２３から送信された画像情報および周辺走行環境認識部２６に第１〜第２センサ２２ｃ，２２ｄから送信された周辺環境情報に基づき、交差点領域Ｃ内の他車両を認識する。
【００５１】
交差点領域Ｃ内に他車両が存在しない場合、自車両進行領域Ｍａ内に他車両が存在しないか判定する（ステップＳ７）。このときも、画像情報および周辺環境情報に基づき、自車両進行領域Ｍａ内の他車両を認識する。
【００５２】
ここでは、例えば、「４-ＷＡＹ ＳＴＯＰ」交差点の交通ルールを無視する他車両があった場合のため、自車両進行領域Ｍａに進入していないか判定する。なお、自車両進行領域Ｍａ内に他車両が存在しないと判断するまで、ステップＳ７の処理を繰り返す。
【００５３】
そして、自車両進行領域Ｍａ内に他車両が存在しない場合、一時停止している自車両Ｍの発進許可をする（ステップＳ８）。
【００５４】
また、ステップＳ６において、交差点領域Ｃ内に他車両が存在する場合、交差点領域Ｃ内の他車両が対向車であるかを判定する（ステップＳ９）。ここでも、画像情報および周辺環境情報に基づき、交差点領域Ｃ内の他車両が対向車であるかを認識する。
【００５５】
交差点領域Ｃ内の他車両が対向車両である場合、その対向車両が対向車両進行領域Ｏ内に存在するかを判定する（ステップＳ１０）。即ち、対向車両が対向車両進行領域Ｏ内に進入している場合、その対向車両は直進しているものと判断する。このときも、画像情報および周辺環境情報に基づき、対向車両進行領域Ｏ内に対向車両が存在しているかを認識する。
【００５６】
そして、対向車両進行領域Ｏ内に対向車両が存在している場合、一時停止している自車両Ｍの発進許可をする（ステップＳ８）。即ち、自車両Ｍは、対向車両が対向車両進行領域Ｏ内に入れば、自車両進行領域Ｍａ内に進入しても対向車両と衝突、接触などすることがない。
【００５７】
なお、ステップＳ９において、交差点領域Ｃ内の他車両が対向車でない場合、ステップＳ６の処理に戻る。即ち、対向車でない他車両が交差点領域Ｃに存在しており、交差点を通過（退出）していない状態であると判断する。
【００５８】
また、ステップＳ１０において、対向車両が対向車両進行領域Ｏ内に存在していない場合、ステップＳ６の処理に戻る。即ち、対向車が対向車両進行領域Ｏ外の交差点領域Ｃに存在しており、交差点を通過（退出）していない、または直進ではなく右左折進行している状態であると判断する。
【００５９】
ここでのステップＳ８の発進許可は、自動運転制御ユニット２５がブレーキ制御部３２および加減速制御部３３を所定に制御して自動発進走行させてもよいし、音声、視覚的な指示などの告知手段を駆動して発進許可サインにより運転者に認識させてもよい。
【００６０】
なお、上記実施例は、２つの第１〜第２カメラ２２ａ，２２ｂのステレオ画像により走行環境を認識する構成を例示したが、必ずしもステレオ画像でなくてもよく、単眼カメラの画像から他車両の動きを認識する構成としてもよい。
【００６１】
さらに、他車両の状態を検出する制御は、カメラの画像情報のみとしてもよいし、ミリ波レーダー、レーザーレーダー、ライダー（LIDER：Light Detection and Ranging）などのセンシングデバイスの周辺環境情報を組み合わせた構成としてもよい。
【００６２】
なお、ここではアメリカ合衆国などに適用されている右側通行規制の道路を例示しており、左側通行規制の道路の場合にも、勿論適用できるものである。
【００６３】
以上に記載したように、本実施の形態では、アメリカ合衆国などで指定された「４-ＷＡＹ ＳＴＯＰ」という交差点の交通ルールにおいて、自車両の発進可否を判定できる交差点発進判定装置としての自動運転支援システム１を構成することができる。
【００６４】
なお、交差点発進判定装置による４-ＷＡＹ ＳＴＯＰ」交差点での自車両の発進許可の制御は、自動運転支援のみならず、運転者アシスト機能にも適用できるものである。
【００６５】
さらに、交差点内に進入する他車両の動きは、右左折時のウインカーの点滅により判断してもよいし、他車両から送信されたクラウドを利用した車両管理システムにより判断してもよい。
【符号の説明】
【００６６】
１…自動運転支援システム
１０…自律センサ部
１１…ロケータユニット
１２…地図ロケータ演算部
１２ａ…自車位置推定演算部
１２ｂ…地図情報取得部
１２ｃ…目標進行路設定演算部
１３…受信機
１４…自律走行センサ
１６…高精度道路地図データベース
２０…走行環境認識部
２１…ステレオカメラ装置
２２…自律センサユニット
２２ａ，２２ｂ…第１〜第２カメラ
２２ｃ，２２ｄ…第１〜第２センサ
２５…自動運転制御ユニット
２６…周辺走行環境認識部
２７…レーダー装置
３１…操舵制御部
３２…ブレーキ制御部
３３…加減速制御部
３４…警報装置
Ｍ…自車両
Ｍａ…自車両進行領域
Ｏ…対向車両進行領域
Ｓａ，Ｓｂ，Ｓｃ，Ｓｄ…第１〜第４停止領域
Ｔａ，Ｔｂ，Ｔｃ，Ｔｄ…第１〜第４走行領域
【図１】
2020166539.tif 000003
【図２】
2020166539.tif 000004
【図３】
2020166539.tif 000005
【図４】
2020166539.tif 000006